(57)【要約】  配線システムが開示される。該配線システムは、筐体内に位置決め可能な複数個の前部装填式配線モジュールを有する。該配線モジュールの各々は、第1および第2長寸フレーム・ジャック・アセンブリと、配線モジュールの回路構成を変更するスィッチとを有する。配線モジュールおよび筐体は、大きな配線密度を提供する。
2008507825.tif 000002
【特許請求の範囲】
【請求項１】
第1ポートと第2ポートとを画成するハウジングと、
前記第1ポートの近傍に位置決めされた第1長寸フレーム・ジャック・アセンブリであって前記ハウジングにより支持される第1スプリング配置構成を有する第1長寸フレーム・ジャック・アセンブリと、
前記第2ポートの近傍に位置決めされた第2長寸フレーム・ジャック・アセンブリであって前記ハウジングにより支持される第2スプリング配置構成を有する第2長寸フレーム・ジャック・アセンブリとを具備し、
前記第1ポートおよび前記第2ポートの各々は長寸フレーム用配線コード・プラグを受容すべく寸法設定される、
配線モジュール。
【請求項２】
前記第1ポートおよび前記第2ポートの各々は約6.35mm（0.25インチ）である直径を有する、請求項１に記載の配線モジュール。
【請求項３】
前記ハウジングは誘電材料から作成される、請求項１に記載の配線モジュール。
【請求項４】
前記ハウジングは該ハウジングを筐体に対して固定すべく構成された少なくとも一つのスナップ式接続部を有する、請求項１に記載の配線モジュール。
【請求項５】
前記第1長寸フレーム・ジャック・アセンブリおよび前記第2長寸フレーム・ジャック・アセンブリの回路構成を‘非’常用構成、‘完全’常用構成および‘半’常用構成の間で変更する切換えデバイスを更に有する、請求項１に記載の配線モジュール。
【請求項６】
前記切換えデバイスは複数の二位置スィッチを有する、請求項５に記載の配線モジュール。
【請求項７】
前記第1長寸フレーム・ジャック・アセンブリおよび前記第2長寸フレーム・ジャック・アセンブリに対して電気的に接続された後部コネクタを更に有する、請求項１に記載の配線モジュール。
【請求項８】
前記後部コネクタは前記第1長寸フレームおよび前記第2長寸フレームに対してプリント回路基板により電気的に接続される、請求項７に記載の配線モジュール。
【請求項９】
前部および後部を有する筐体であって前記前部は前部開口を画成するという筐体と、
前記筐体の前記前部開口内に位置決めされた複数の前部装填式配線モジュールであって、
第1長寸フレーム・ジャック・アセンブリと、
第2長寸フレーム・ジャック・アセンブリと、
を各々が有するという複数の前部装填式配線モジュールと、
前記筐体の前記後部に配置された複数の後部コネクタであって、前記前部装填式配線モジュールに対して夫々電気的に接続された複数の後部コネクタとを具備する、
配線システム。
【請求項１０】
前記配線モジュールの各々は、長寸フレーム用配線コード・プラグを受容すべく寸法設定された第1ポートおよび第2ポートを画成するハウジングを有する、請求項９に記載の配線システム。
【請求項１１】
前記第1長寸フレーム・ジャック・アセンブリは前記第1ポートの近傍に位置決めされ、且つ、前記第2長寸フレーム・ジャック・アセンブリは前記第2ポートの近傍に位置決めされる、請求項１０に記載の配線システム。
【請求項１２】
前記第1ポートおよび前記第2ポートの各々は約6.35mm（0.25インチ）の直径を有する、請求項１０に記載の配線システム。
【請求項１３】
前記ハウジングは誘電材料で作成される、請求項１０に記載の配線システム。
【請求項１４】
前記ハウジングは、前記配線モジュールを前記筐体の前記前部開口内に固定すべく構成された少なくとも一つのスナップ式接続部を有する、請求項１０に記載の配線システム。
【請求項１５】
前記複数の前部装填式配線モジュールの各々は12.7mm（0.5インチ）以下の中心間間隔を有する、請求項９に記載の配線システム。
【請求項１６】
前記複数の前部装填式配線モジュールの各々は10.16mm（0.4インチ）以下の中心間間隔を有する、請求項１５に記載の配線システム。
【請求項１７】
前記複数の前部装填式配線モジュールは前記筐体の前記前部開口内に位置決めされた少なくとも30個の配線モジュールを有する、請求項９に記載の配線システム。
【請求項１８】
前記複数の前部装填式配線モジュールは前記筐体の前記前部開口内に位置決めされた少なくとも32個の配線モジュールを有する、請求項１７に記載の配線システム。
【請求項１９】
前記筐体の前記前部は前部高さを画成し、前記筐体の前記前部開口は開口高さを画成し、前記開口高さに対する前記前部高さの比率は1.8以下である、請求項９に記載の配線システム。
【請求項２０】
前記筐体の前記前部は前部高さを画成し、前記筐体の前記前部開口は開口高さを画成し、前記開口高さに対する前記前部高さの比率は1.4以下である、請求項１９に記載の配線システム。
【請求項２１】
前記筐体は電気通信用ラックの多くとも一段のラック・ユニットを占有すべく構成される、請求項９に記載の配線システム。
【請求項２２】
前記筐体の前記前部開口は約31.75mm（1.25インチ）以上である、請求項２１に記載の配線システム。
【発明の詳細な説明】
【技術分野】
【０００１】
本発明はオーディオ、ビデオまたはデジタル用途に対する配線システム(patching system)に関し、特に本発明は長寸フレーム・ジャックを有する配線システムに関する。
【背景技術】
【０００２】
専門的なオーディオおよびビデオの工業用途においては、信号源から処理デバイスに対して信号を搬送するために多数本のケーブルが使用される。これらの信号が生成される環境は非常に動的であり、信号源とデバイスとの間の接続を迅速かつ容易に変更し得る必要がある。この種の接続の融通性は、ジャック領域(jack field)において提供される。
【０００３】
ジャック領域は、アナログおよびデジタルのオーディオ信号を交差結線すべく使用される一連のジャックである。上記ジャック領域はまた、まさにこれらの信号に対する検査もしくは監視箇所の役割も果たす。長寸フレーム・ジャックは、ジャック領域に使用されるひとつの習用形式のジャックである。これらのジャックは早期の電話交換台において使用されていた。その名称により示唆される如く長寸フレーム・ジャックは典型的には、(たとえば小型ジャックなどの)他のジャックよりも物理的寸法が長寸かつ大型である。習用の長寸フレーム・ジャックは、特定形式の配線コード・プラグと合致係合すべく構成された統一的な物理的設計態様を有する。
【０００４】
ジャック領域を提供する上で個々の長寸フレーム・ジャックは、パネルもしくは筐体(chassis)に対して取付けられる。筐体に伴う密度に対する規格は、長寸フレーム・ジャックを有するジャック領域に共通する。たとえば筐体は典型的に、規格化された幅を有する。ひとつのジャック領域密度の要件は、夫々の長寸フレーム・ジャックが中心間を15.875mm（0.625インチ）として水平に取付けられることを規定している。すなわち、規格化された筐体幅と、長寸フレーム・ジャックの統一的な物理的設計態様とにより、長寸フレーム・ジャック領域の習用の配置は典型的に、ジャックの最大密度は28個であり且つ中心間間隔が15.875mm（0.625インチ）である。
【０００５】
初期の用途において長寸フレーム・ジャックは、ワイヤラップ接続を受容する後部端子、または、半田付け用に設計された端子を備えていた。しかし、ジャックのワイヤ結線は非常に時間が掛かると共に、この労力が斯かる製品のコストの相当部分を占めていた。ワイヤの使用に対する代替策として、ジャック領域は、各ジャックを所望の後部インタフェースに対して接続するというプリント回路基板(PCB)を用いるべく設計されていた(米国特許第6,540,562号を参照)。
【０００６】
ジャック領域は、複数の機器を相互に接続するために、且つ、機器に対するまたは機器からの信号を配線すると共に監視機能を提供するためにも使用される。ジャック領域は典型的に、複数のジャック対を含む一連のジャックを含む。ジャック領域のジャック対を結線するためには、特定の状況の要求内容に依存して３種類の基本的な回路構成が在る。
【０００７】
第1に、ジャック領域の各ジャック対は、ひとつのジャック対の各ジャックが通常的に該ジャック対の対応ジャックから分離される(すなわち電気的に接続されない)ことを意味する“‘非’常用(no-normal)”回路構成で設定可能である。この構成において各ジャックは、(たとえば発信元デバイスおよび宛先デバイスなどの)２つの機器間の常用接続を提供しない。代わりに各ジャックは単に、所定の機器が接続された方のジャック内へと配線プラグ(patch plug)を挿入することにより、該機器に対して接続を行うという配線アクセスを提供する。
【０００８】
第2の回路構成は“‘完全’常用(full-normal)”と称される。‘完全’常用構成においては、ジャック対の第1ジャックのチップ・スプリング(tip spring)およびリング・スプリング(ring spring)に対応する夫々の常用スプリング(normal spring)が、該ジャック対の第2ジャックのチップ・スプリングおよびリング・スプリングに対応する常用スプリングに対して電気的に接続される。この構成において各ジャックは、該ジャックに対して夫々連結された機器間の常用接続を提供する。一例として上記第1および第2ジャックに対しては、発信元デバイスおよび宛先デバイスが夫々接続され得る。上記各ジャックにプラグが挿入されないとき、各ジャックは上記発信元デバイスと宛先デバイスとの間の接続を提供すべく機能する。上記第1ジャック内にプラグが挿入されたとき、上記発信元デバイスと宛先デバイスとの間の接続が切断され、且つ、上記プラグは上記発信元デバイスに対して接続される。上記第2ジャック内にプラグが挿入されたとき、上記発信元デバイスと宛先デバイスとの間の接続は切断され、且つ、上記プラグは上記宛先デバイスに対して接続される。故に、‘完全’常用で構成されたジャック領域においては、２つの要素が相互に対して通常的に電気的に接続され得るべく構成され得るが、常用接続は切断され得ると共に、接続は必要に応じて方向変換され得る。
【０００９】
第3の回路構成は、“‘半’常用(half-normal)”と称される。‘半’常用構成において、ジャック対の第1ジャックのチップ・スプリングおよびリング・スプリングは、該ジャック対の第2ジャックの各常用スプリングに対して電気的に接続される。使用に際し、上記第1ジャックに対しては第1の機器が接続され、且つ、上記第2ジャックに対しては第2の機器が接続される。通常的に(すなわち各ジャックにプラグが挿入されないとき)上記各ジャックは、上記第1の機器を上記第2の機器に対して電気的に接続すべく構成される。上記第1ジャック内にプラグが挿入されることで、２つの機器間の接続を切断せずに監視アクセスが提供される。上記第2ジャック内にプラグが挿入されたとき、各機器間の常用接続は切断されると共に、該プラグは上記第2の機器に対して接続される。
【００１０】
各ジャックと、該各ジャックに夫々接続されたデバイスとの間の接続の別の側面は、ケーブル上を伝送されつつある信号に対する外部電磁干渉の影響を減少すべく使用されるシールド接地の処理である。典型的に、一対のジャックの接地は、絶縁され、一緒にループされ、または、共通バスに対して連結され得る。
【発明の開示】
【発明が解決しようとする課題】
【００１１】
必要とされるのは、長寸フレーム・ジャック領域の密度を高めるシステムである。同様に、必要とされるのは、種々の回路構成間で長寸フレーム・ジャック領域のプログラミングを容易化するシステムである。
【課題を解決するための手段】
【００１２】
本開示のひとつの見地は、配線モジュールに関する。該配線モジュールは、第1ポートと第2ポートとを画成するハウジングを含む。上記第1ポートの近傍には第1長寸フレーム・ジャック・アセンブリが位置決めされ、且つ、上記第2ポートの近傍には第2長寸フレーム・ジャック・アセンブリが位置決めされる。上記第1および第2ポートの各々は、長寸フレーム用配線コード・プラグを受容すべく寸法設定される。
【００１３】
本開示の別の見地は、配線システムに関する。該配線システムは、筐体と、複数個の前部装填式配線モジュールとを含む。上記複数個の前部装填式配線モジュールは、上記筐体内に画成された前部開口内に位置決めされる。上記配線モジュールの各々は、第1長寸フレーム・ジャック・アセンブリおよび第2長寸フレーム・ジャック・アセンブリを含む。上記システムはまた、上記前部装填式配線モジュールに対して電気的に接続される複数個の後部コネクタも含む。
【００１４】
本開示の他の種々の発明的側面は、部分的には以下の説明中に示され、且つ、部分的には該説明から明らかとなり又は該発明的側面を実施することで習得され得る。発明的側面は、個々の特徴ならびに特徴の組み合わせに関する。上述の概略的な説明および以下の詳細な説明はいずれも例示的かつ説明的であり、権利請求される発明を限定するものでないことは理解される。
【発明を実施するための最良の形態】
【００１５】
以下の詳細な説明においては、発明的側面が実施され得るという種々の実施形態を示す添付図面が参照される。発明的側面の有効範囲から逸脱せずに、他の実施形態が利用され得ると共に構造的および機能的な変更が為され得ることは理解される。
【００１６】
図１は、本開示の原理に係る発明的側面の例である特徴を有する配線システム10を示している。配線システム10は、前部側14および後部側16を有する筐体12を含む。筐体12の前部側14は、前部開口18を画成する。前部開口18は、前部装填式の複数個の配線モジュール(patching module)50を受容すべく寸法設定される。特に配線モジュール50は、筐体12内への載置のために該モジュール50を筐体12の前部側14を通して後部側16に向けて挿入することにより前部装填される。前部装填式の配線モジュール50の各々は、第1長寸フレーム・ジャック・アセンブリ22(図６)および第2長寸フレーム・ジャック・アセンブリ24を含んでいる。筐体12の後部側16からは、後部コネクタ・アセンブリ20がアクセス可能である。図２を参照すると、配線システム10は、筐体12の後部側16に対して取付けられる中央平面ボード30を更に含む。中央平面ボード30は、後部コネクタ・アセンブリ20と前部装填式の配線モジュール50との間の電気的インタフェースを提供する。
【００１７】
Ａ．筐体
依然として図２を参照すると本発明の配線システム10の筐体12は、概略的に矩形状の構成を有すると共に、頂壁部40、底壁部42、左壁部44および右壁部46を含んでいる。筐体12の前部側14および後部側16は、概略的に開放されている。左壁部44および右壁部46からは、外方へとフランジ48が延在する。該フランジ48は、(図４に概略的に示された)ラックもしくはフレーム124に対して筐体12を固定すべく使用される。
【００１８】
筐体12の前部開口18は、頂壁部40および底壁部42により画成される。頂壁部40は頂部フランジ64を含み、且つ、底壁部は底部フランジ66を含む。図４を参照すると筐体12は概略的に、全体的前部高さH1および前部開口高さH2を有する。筐体の前部高さH1は概略的に、頂部フランジ64および底部フランジ66の縁部114、116の間に画成される。好適には前部高さH1は、多くとも１段のラック・ユニットを占有すべく典型的な配線システム用途において標準的である様に、約44.45mm（1.75インチ）である。ラック・ユニットとは、44.45mm（1.75インチ）の前部高さを有するひとつの筐体が取付けられ得る電気通信用ラック124により提供されるスペースである。もし筐体が44.45mm（1.75インチ）より大きい高さを以て構成されるなら、その筐体は一段より多いラック・ユニットを占有し、ラック・スペースの非効率的な使用に帰着し得る。
【００１９】
筐体12の前部開口高さH2は概略的に、頂壁部40および底壁部42の内側面118、120間に画成される。好適には、前部開口高さH2は24.765mm（0.975インチ）〜38.1mm（1.5インチ）であり、更に好適には前部開口高さH2は約31.75mm（1.25インチ）以上である。筐体12は、該筐体の前部高さH1および前部開口高さH2に伴う比率を規定する。一実施形態において前部開口高さH2に対する前部高さH1の比率は、1.8以下である。別実施形態において上記比率は約1.6以下であり、更に好適には上記比率は約1.4以下である。更に別の実施形態において上記比率は、約1.2以下である。
【００２０】
図示実施形態において筐体12は、必要であれば該筐体が既存のラック内に取付けられ得る様に寸法設定される。典型的に既存のラックは一連の筐体もしくはパネルを受容すべく構成され、パネルの各々は高さが約44.45mm（1.75インチ）である。本開示の筐体12は、既存のラック内に取付けられるべく設計される一方、習用の用途に見られるより更に稠密な分布数の長寸フレーム・ジャック・アセンブリを提供する。一実施形態において筐体12は少なくとも30個の前部装填式配線モジュール50を受容すべく構成され、別実施形態において筐体12は少なくとも32個の前部装填式配線モジュールを受容する。
【００２１】
次に図７を参照すると、更に稠密に分布された配線システム10を提供するために配線モジュール50の各々は、筐体12の開口18内における好適な個数の配線モジュールの載置を許容すべく構成された全体幅Wを有する。配線モジュール50の幅Wは、該モジュール50の各側部68間で画成される。好適には幅Wは12.7mm（0.5インチ）未満であり、更に好適には幅Wは10.16mm（0.4インチ）未満である。故に図４に示された如く配線システム10は複数個の前部装填式配線モジュール50の間において、好適には12.7mm（0.5インチ）以下、更に好適には10.16mm（0.4インチ）以下であるという中心間間隔Dを提供する。
【００２２】
少なくとも32個の前部装填式配線モジュール50を収容するために、図４に示された如く筐体12の開口18は幅W1を有する。この幅は、10.16mm（0.4インチ）未満の幅Wを有する32個の配線モジュール50を収容すべく約325.12mm（12.8インチ）とされ得るか、または、12.7mm（0.5インチ）未満の幅Wを有する32個の配線モジュール50を収容すべく約406.4mm（16.0インチ）とされ得る。
【００２３】
図２および図３を参照すると、筐体12は配線モジュール50の受容／挿入を容易化する構造を含む。特に筐体12の頂壁部40および底壁部42は、対向するスロット56を画成する。対向する各スロット56は、配線モジュール50が筐体12の前部開口18内に挿入されたときに該配線モジュール50を適切な配向および箇所へと案内する。頂壁部40および底壁部42の頂部フランジおよび底部フランジ64、66にて筐体12の前部に対しては、カバー・パネル90が取付けられ得る。図４に示された如くパネル90は、前方に向けられた箇所であって例えば指示ラベルもしくは他の目印を載置するための箇所を提供する。
【００２４】
Ｂ．中央平面ボード
次に図２および図４を参照すると、中央平面ボード30は配線モジュール50の挿入の方向に対して直交して整列されると共に、該ボードは後部側58の反対側に位置された前部側54を含む。中央平面ボード30の前部側54の全体にわたり、ジャック・インタフェース・コネクタ32が水平列で取付けられる。ジャック・インタフェース・コネクタ32は、配線モジュール50の対応後部コネクタ52(図６および図８)と結合し得る。中央平面ボード30が筐体12の後部側16に取付けられたとき、ジャック・インタフェース・コネクタ32は筐体の内部へと突出して該筐体12の一群のスロット56と整列する。スロット56とジャック・インタフェース・コネクタ32との整列によれば、配線モジュール50が一群のスロット56内に挿入されたとき、配線モジュール50の後部コネクタ52は確実に中央平面ボード30の対応ジャック・インタフェース・コネクタ32と結合する。
【００２５】
依然として図２を参照すると、中央平面ボード30の後部側58には後部モジュール・インタフェース・コネクタ34が取付けられる。後部モジュール・インタフェース・コネクタ34は、後部コネクタ・アセンブリ20の対応後部モジュール・コネクタ62と結合し得る。たとえば後部モジュール・インタフェース・コネクタ34は、後部モジュール・コネクタ62の対応導電ピン63を受容し得る(不図示の)２列のソケットを含み得る。ジャック・インタフェース・コネクタ32は、中央平面ボード30上に配備された接続線により後部モジュール・インタフェース・コネクタ34に対して電気的に接続される。
【００２６】
Ｃ．後部コネクタ・アセンブリ
依然として図２を参照すると、後部コネクタ・アセンブリ20は後部モジュール69を含んでいる。後部モジュール69は後部コネクタ28を含んでいる。図示実施形態において後部コネクタ28は90ピン・コネクタである。他の後部コネクタ形式も使用され得ることは理解される。後部コネクタ28は、回路盤71上に配備された接続線によりコネクタ62の対応ピン63に対して電気的に接続される。図示実施形態において配線システム10は、単一の回路盤71を含む。代替実施形態において、単一の回路盤70は複数の回路盤により置き換えられ得る。
【００２７】
図５は、筐体の後部インタフェースすなわち後部コネクタ・アセンブリ20の概略的表示であり、ジャック・インタフェース・コネクタ32が後部コネクタ28に対して電気的に接続されることを概略的に示している。
【００２８】
Ｄ．配線モジュール
図６から図９は、配線システム10から分離されたひとつの配線モジュール50を示している。配線モジュール50は、前端部72と後端部74とを有する誘電体もしくはハウジング70を含む。前端部72には表面パネル76が配置され、且つ、後端部74には後部ジャック・コネクタ52が配置される。誘電ハウジング70は、頂部および底部案内部78も形成する。頂部および底部案内部78は、筐体12のスロット56内を摺動すべく寸法設定される。ハウジング70の前端部72に向けては可撓タブ60が配備されることで、配線モジュール50は筐体12内に固定される。図示実施形態において可撓タブ60は、ハウジング70の一体的構成要素として形成される。可撓タブ60によればユーザは、配線モジュール50をスナップ式接続により筐体12に対して着脱可能に固定し得る。
【００２９】
図６および図７を参照するとハウジングの表面パネル76は、第1の上側ポート36および第2の下側ポート38を含む複数の開口もしくはポートを画成する。ポート36、38は、長寸フレーム用配線コード・プラグを受容すべく寸法設定される。長寸フレーム用配線コード・プラグは、特定のプラグ構成を有すべく典型的に規格化されたプラグである。故にポート36、38は好適には、長寸フレーム用配線コード・プラグの規格化された形状および構成に対応する。特に、ポート36、38の各々は、長寸フレーム用配線コード・プラグの標準的な直径に対応する約6.35mm（0.25インチ）の直径D1を有する。
【００３０】
誘電ハウジング70の表面パネル76はまた、筐体12に対する配線モジュール50の挿入および取り外しを支援する(不図示の)工具を受容すべく構成された構造82も画成する。図示実施形態において構造82は、ハウジング70の表面パネル76に形成された開孔である。工具の端部が上記開孔内に挿入されることで、モジュール50は筐体12内に押圧されるか、または、該モジュールは筐体12から引き出される。これに加え、構造82は構成識別子に対する載置ホルダとして使用され得る。すなわち図６の図示実施形態において示される如く、上記モジュールの特定の電気的構成に対応する指標もしくは識別片88が構造82内に挿入されることで、該モジュールがたとえば‘非’常用、‘完全’常用または‘半’常用のいずれのモジュールであるかがユーザに対して明確に示され得る。上記指標は、色でコード化され得る。
【００３１】
依然として図６を参照すると、第1長寸フレーム・ジャック・アセンブリ22は複数の接点スプリングを有する第1スプリング・アセンブリ102を含み、且つ、第2長寸フレーム・ジャック・アセンブリ24は同様に複数の接点スプリングを有する第2スプリング・アセンブリ104を含む。ハウジング70は、第1および第2ジャック・アセンブリの各々の複数の接点スプリングを保持／支持し得る。特に誘電ハウジング70は、上側および下側スプリング取付け領域92、94を画成する。第1および第2長寸フレーム・ジャック・アセンブリ22、24の第1および第2スプリング・アセンブリ102、104は夫々、上側および下側スプリング取付け領域92、94に取付けられる。第1および第2スプリング・アセンブリ102、104の各々は、チップ・スプリング201、301と、該チップ・スプリング201、301に対応する常用スプリング202、302と、リング・スプリング203、303と、該リング・スプリング203、303に対応する常用スプリング204、304とを含む。スプリング・アセンブリ102、104はまた夫々、スリーブ接地スプリング205、305も含んでいる。
【００３２】
第1スプリング・アセンブリ102は、ハウジング70の上側ポート36の近傍に配置される。第2スプリング・アセンブリ104は、ハウジング70の下側ポート38の近傍に配置される。チップ・スプリング201およびリング・スプリング203は、(不図示の)長寸フレーム用配線コード・プラグが上側ポート36内に挿入されたときに該スプリング201、203がそれらの対応する常用接点202、204から接続解除されて上記プラグに接続される如く位置決めされる。同時にスリーブ接地スプリング205は、ポート36内に挿入されたプラグのスリーブ接地に接触する。第2スプリング・アセンブリ104は同様の様式で作用することは理解される。たとえば、下側ポート38内に長寸フレーム用配線コード・プラグが挿入されたとき、チップ・スプリング301およびリング・スプリング303はそれらの対応する常用スプリング302、304から接続解除されて上記プラグに接続される。同時にスリーブ接地305は上記プラグのスリーブ接地に対して電気的に接続される。
【００３３】
スプリング201〜205、301〜305は、任意数の知られている技術によりハウジング70の上側および下側スプリング取付け領域92、94内に固定され得る。図６に示された如くスプリング201〜205、301〜305は、ハウジング70内に形成されたチャネルもしくはスロット内に圧力嵌めされる。スプリング201〜205、301〜305は、(図１０から図１４においても概略的に示される)回路盤106にて終端する(不図示の)配置端部を有する。回路盤106は、スプリング201〜205、301〜305と後部コネクタ52との間の電気的接続を提供する。図８および図９に示された如く、図示された配線モジュール50の後部コネクタ52はカード・エッジ・コネクタ86である。他の形式の後部コネクタ52および対応するジャック・インタフェース・コネクタ32が使用され得る。後部コネクタ52およびジャック・インタフェース・コネクタ32は、第1および第2長寸フレーム・ジャック・アセンブリ22、24と中央平面ボード30との間の電気的接続を提供する。
【００３４】
誘電ハウジング70の構成要素の全ては、一個の単体片として一体的に型成形もしくは形成されることが好適である。たとえば、表面パネル76と、可撓タブ60と、スプリング取付け領域92、94のスロットおよびチャネルと、上側および下側ポート36、38と、案内部78とは、(たとえばプラスチックなどの)誘電材料の一個の単体片として型成形されることが好適である。
【００３５】
本開示の配線モジュール50は切換えデバイス110を含んでいる。以下において相当に詳細に記述される如く、回路盤106はカード・エッジ・コネクタ86およびスプリング201〜205、301〜305を切換えデバイス110に対して電気的に接続することで、配線モジュール50の回路構成を、‘非’常用構成(図１０を参照)、‘半’常用構成(図１１を参照)および‘完全’常用構成(図１２を参照)の間で変更する。切換えデバイス110によれば配線モジュール50は、バス接地構成(図１３を参照)とループ接地構成(図１４を参照)との間でも切換えられ得る。図６および図８に示される如く誘電ハウジング70は、配線モジュール50の左側から切換えデバイス110に対するアクセスを提供する窓部112を画成する。窓部112によればユーザは、切換えデバイス110の設定を変更することにより配線モジュール50の回路構成を容易に変更し得る。図８に示された目印は、ユーザが配線モジュール50の回路構成を改変するのを助力すべく側部パネル122上に配置され得る。
【００３６】
図６に戻ると、切換えデバイス110は7個の二位置スィッチを有するDIPスィッチとして示される。他の形式のスィッチ(たとえばダイアル・スィッチ、回転スィッチ、多重位置スィッチなど)も使用され得ることは理解される。切換えデバイスを有するジャック・デバイスは、その全ての開示内容は言及したことにより本明細書中に援用されるという2002年10月21日出願の米国特許出願第10/278,063号明細書においても開示されている。
【００３７】
Ｅ．回路構成
図１０は、‘非’常用構成における配線モジュール50を示している。この構成においては、２つの長寸フレーム・ジャック・アセンブリ22、24間に何らの電気的接続が提供されない様に、切換えデバイス110のスィッチの全ては開成される。故にこの構成において配線モジュール50は、単に配線機能を提供する。
【００３８】
図１１は、‘半’常用回路構成における配線モジュール50を示している。この構成において切換えデバイス110のスィッチ２および４は閉成されている。スィッチ２および４が閉成されると、第1長寸フレーム・ジャック・アセンブリ22に関係付けられた接点C1、C3は第2長寸フレーム・ジャック・アセンブリ24を介して接点C2、C4に対して電気的に接続される。この構成においては、上側ポート36内に長寸フレーム用配線コード・プラグを挿入することにより、配線モジュール50を通り進行する信号が中断なしで監視され得る。また、下側ポート38内に長寸フレーム用配線コード・プラグを挿入することにより、接点C3、C5と接点C2、C4との間の接続は切断されると共に、長寸フレーム用配線コード・プラグは接点C2、C4に対して電気的に接続される。
【００３９】
図１２は、スィッチ１および３が閉成された‘完全’常用回路構成における配線モジュール50を示している。この構成において接点C1、C3は、長寸フレーム・ジャック・アセンブリ22、24の両方を介して接点C2、C4に対して相互接続される。上記‘完全’常用構成においては、上側および下側ポート36、38のいずれかに長寸フレーム用配線コード・プラグを挿入することにより、接点C1、C3と接点C2、C4との間の接続が切断され得る。上側ポート36内に長寸フレーム用配線コード・プラグが挿入されたとき、接点C1、C3と接点C2、C4との間の接続は切断されると共に、接点C1、C3により長寸フレーム用配線コード・プラグ接続が為される。下側ポート38内に長寸フレーム用配線コード・プラグが挿入されたとき、接点C1、C3と接点C2、C4との間の接続は切断されると共に、接点C2、C4により長寸フレーム用配線コード・プラグ接続が為される。
【００４０】
図１３は、バス接地回路構成における配線モジュール50を示している。この構成においては、切換えデバイス110のスィッチ５および６が閉成される。スィッチ５および６が閉成されると、２つのスリーブ接地スプリング205、305は上記後部コネクタのスリーブ・バス・ピンC7に対して電気的に接続される。この形式の構成によれば、複数のスリーブ接地スプリングが相互に連結(すなわちデイジー・チェーン接続)されて、便宜的な共通接地が行われ得る。
【００４１】
図１４は、ループ接地構成における配線モジュール50を示している。この構成においては、切換えデバイス110のスィッチ７が閉成される。スィッチ７が閉成されると２つの接地スプリング205、305は、バス・ラインに接続されることなく、相互に対して電気的に接続される。
【００４２】
本発明の多くの実施形態は本発明の精神および有効範囲から逸脱せずに為され得ることから、本発明は添付の各請求項に在る。
【図面の簡単な説明】
【００４３】
【図１】本開示の原理に係る発明的側面を有する配線システムの前方斜視図である。
【図２】図１の配線システムの分解前方斜視図である。
【図３】図１の配線システムの平面図である。
【図４】図１の配線システムの正面図である。
【図５】図１の配線システムの筐体後部インタフェースの概略図である。
【図６】側部パネルを取り外して示された図１から図４の配線システムの配線モジュールの一実施形態の側部斜視図である。
【図７】図６の配線モジュールの正面図である。
【図８】側部パネルが設置して示された図６の配線モジュールの側面図である。
【図９】図６の配線モジュールの平面図である。
【図１０】‘非’常用回路構成で示された図６の配線モジュールの概略図である。
【図１１】‘半’常用回路構成で示された図６の配線モジュールの概略図である。
【図１２】‘完全’常用回路構成で示された図６の配線モジュールの概略図である。
【図１３】バス接地構成で示された図６の配線モジュールの概略図である。
【図１４】ループ接地構成で示された図６の配線モジュールの概略図である。
【図１】
2008507825.tif 000003
【図２】
2008507825.tif 000004
【図３】
2008507825.tif 000005
【図４】
2008507825.tif 000006
【図５】
2008507825.tif 000007
【図６】
2008507825.tif 000008
【図７】
2008507825.tif 000009
【図８】
2008507825.tif 000010
【図９】
2008507825.tif 000011
【図１０】
2008507825.tif 000012
【図１１】
2008507825.tif 000013
【図１２】
2008507825.tif 000014
【図１３】
2008507825.tif 000015
【図１４】
2008507825.tif 000016
【国際調査報告】
2008507825.tif 000017
2008507825.tif 000018